(57)【要約】      （修正有）【課題】一次転写部と二次転写部とで像担持体ベルトに速度差があっても、像担持体ベルトの伸縮を低減し、良好に転写することが可能な転写装置。【解決手段】液体現像剤で現像された像を担持する像担持体ベルト４０と、ベルト駆動ローラー４１と、像担持体ベルト４０に張力を付与する第１テンションローラー８１と、ベルトを巻き掛けるローラー４３と、ローラー４３と像担持体ベルト４０を介して当接して転写ニップを形成し、像担持体ベルト４０に担持された像を転写材に転写する転写ローラー６１と、転写ローラー６１を回転駆動させる転写ローラー駆動部と、ローラー４３に巻き掛けられた像担持体ベルト４０を巻き掛けるとともに、像担持体ベルト４０に張力を付与する第２テンションローラー８２と、第１テンションローラー８１と第２テンションローラー８２とを連結して支持する弾性部材８７と、を有する。【選択図】図２
2012123114.tif 000002
【特許請求の範囲】
【請求項１】
トナー粒子及びキャリアー液を含む液体現像剤で現像された像を担持する像担持体ベルトと、
前記像担持体ベルトを巻き掛けて、前記像担持体ベルトを移動させるベルト駆動ローラーと、
前記ベルト駆動ローラーに巻き掛けられた前記像担持体ベルトを巻き掛けるとともに、前記像担持体ベルトに張力を付与する第１テンションローラーと、
前記第１テンションローラーに巻き掛けられた前記像担持体ベルトを巻き掛けるローラーと、
前記ローラーと前記像担持体ベルトを介して当接して転写ニップを形成し、前記像担持体ベルトに担持された前記像を転写材に転写する転写ローラーと、
前記転写ローラーを回転駆動させる転写ローラー駆動部と、
前記ローラーに巻き掛けられた前記像担持体ベルトを巻き掛けるとともに、前記像担持体ベルトに張力を付与する第２テンションローラーと、
前記第１テンションローラーと前記第２テンションローラーとを連結して支持する弾性部材と、
を有することを特徴とする転写装置。
【請求項２】
前記転写ローラーに当接して前記転写ローラーをクリーニングする転写ローラークリーニング部材を有する請求項１に記載の転写装置。
【請求項３】
潜像が形成される潜像担持体と、
前記潜像担持体に形成された前記潜像をトナー粒子及びキャリアー液を含む液体現像剤で現像する現像部と、
前記現像部で現像された像を担持する像担持体ベルトと、
前記像担持体ベルトを巻き掛けて、前記像担持体ベルトを移動させるベルト駆動ローラーと、
前記ベルト駆動ローラーに巻き掛けられた前記像担持体ベルトを巻き掛けるとともに、前記像担持体ベルトに張力を付与する第１テンションローラーと、
前記第１テンションローラーに巻き掛けられた前記像担持体ベルトを巻き掛けるローラーと、
前記ローラーと前記像担持体ベルトを介して当接して転写ニップを形成し、前記像担持体ベルトに担持された前記像を転写材に転写する転写ローラーと、
前記ローラーに巻き掛けられた前記像担持体ベルトを巻き掛けるとともに、前記像担持体ベルトに張力を付与する第２テンションローラーと、
前記第１テンションローラーと前記第２テンションローラーとを連結して支持する弾性部材と、
前記転写ローラーを回転駆動させる転写ローラー駆動部と、
を有することを特徴とする画像形成装置。
【請求項４】
前記転写ローラーは、
周面に形成された凹部と、
前記凹部に配設されて前記転写材を把持する把持部材と、
を有する請求項３に記載の画像形成装置。
【請求項５】
前記第１テンションローラーと接続されたワイヤーと、
前記ワイヤーと接続されて前記第１テンションローラーを移動させるソレノイドと、
を有する請求項３又は請求項４に記載の画像形成装置。
【請求項６】
前記第１テンションローラーを支持する支持部材と、
前記支持部材と当接して前記第１テンションローラーの移動を規制する規制部材と、
を有する請求項３又は請求項４に記載の画像形成装置。
【請求項７】
前記第２テンションローラーと接続されたワイヤーと、
前記ワイヤーと接続されて前記第２テンションローラーを移動させるソレノイドと、
を有する請求項３又は請求項４に記載の画像形成装置。
【請求項８】
前記像担持体ベルトのバネ定数は、前記弾性部材のバネ定数よりも大きい請求項３乃至請求項７のいずれか１項に記載の画像形成装置。
【発明の詳細な説明】
【技術分野】
【０００１】
本発明は、トナーとキャリアー液とを含む液体現像剤で形成された像を担持する像担持体ベルトに対して記録紙等の転写材を転写ローラーにより圧接させて、像担持体ベルトに担持される像を転写材に転写する転写装置及び画像形成装置に関する。
【背景技術】
【０００２】
従来、トナーとキャリアー液とを含む液体現像剤を用いる画像形成装置として、回転可能な像担持体ベルト上に画像形成ステーションで形成された液体現像剤のトナー像を一次転写部で一次転写するとともに、この像担持体ベルト上に担持されたトナー像を二次転写部の二次転写ニップで転写材に転写する画像形成装置が多々知られている（例えば、特許文献１参照）。特許文献１に記載の画像形成装置では、二次転写ニップより像担持体ベルトの回転方向手前側と二次転写ニップより像担持体ベルトの回転方向側とにそれぞれ像担持体ベルトのテンションを調整するテンションローラーが設けられる。これらのテンションローラーにより、二次転写部での振動が吸収緩和されて一次転写部に伝達されるのが抑制されるとともに、転写材が二次転写ニップ内に送り込まれるときに生じる衝撃が吸収緩和される。
【先行技術文献】
【特許文献】
【０００３】
【特許文献１】特開平１０−２６８５９５号公報
【発明の概要】
【発明が解決しようとする課題】
【０００４】
ところで、液体現像剤を用いた画像形成装置では、トナー粒子がキャリアー液中でしか移動できないため、転写材の凹凸にならわせて転写することが難しい。特に、高精細画像を得るために、小粒径トナーを不揮発性キャリアー液に添加した高粘度の液体現像剤を用いた場合、トナーを転写材の凹凸に十分に入り込ませて濃度の高い画像を得ることは難しい。
【０００５】
そこで、一次転写される像担持体ベルトに弾性を持たせるとともに、二次転写ローラーで像担持体ベルトに高い荷重をかけて像担持体ベルト上のトナー像を転写材の凹凸にならわせて転写することにより、良好な画像を得ている。その場合、像担持体ベルトに高荷重をかけることから、二次転写ローラーと像担持体ベルトとの二次転写部に転写材を進入させるために、従来の画像形成装置では二次転写ローラーを一定回転速度で駆動させている場合が多い。
【０００６】
このように、二次転写ローラーを一定の回転速度で駆動させる場合、転写材の有無又は転写材の厚みの違いによって、二次転写部での像担持体ベルトの速度が変化し、一次転写部の像担持体ベルトの速度との間に速度差が生じることがある。
【０００７】
このように、一次転写部における像担持体ベルトの速度と二次転写部における像担持体ベルトの速度が異なる場合には、テンションローラーが位置を変えて、速度差を吸収することができる。
【０００８】
しかしながら、テンションローラーが位置を変えると、テンションローラーを付勢するバネのバネ定数とテンションローラーの巻き掛け角に応じて、像担持体ベルトのテンションが変化する。
【０００９】
図１０は、従来のテンションローラーを有する転写装置の二次転写ローラーの回転角度とベルトテンションの関係を示す図である。例えば、一次転写部における像担持体ベルトの速度が二次転写部における像担持体ベルトの速度よりも速い場合、像担持体ベルトの回転方向における一次転写部の後で二次転写部の前に配設された第１テンションローラー上のベルトテンションは、図１０の実線のように徐々に下がり、像担持体ベルトの回転方向における一次転写部の後で二次転写部の前に配設された第２テンションローラー上のベルトテンションは、図１０の破線のように徐々に上がる。
【００１０】
このように、像担持体ベルトのテンションが変化すると、像担持体ベルトが伸縮し、一次転写部や二次転写部で画像転写中に像担持体ベルトが伸縮すると、画像が伸縮し、画質が悪化してしまうおそれがある。
【００１１】
本発明は、このような事情を鑑みてなされてものであり、一次転写部と二次転写部とで像担持体ベルトに速度差があっても、像担持体ベルトの伸縮が低減されて、良好に転写することが可能な転写装置を提供することを目的とする。また、良好に画像を形成する画像形成装置を提供することを目的とする。
【課題を解決するための手段】
【００１２】
本発明の転写装置は、トナー粒子及びキャリアー液を含む液体現像剤で現像された像を担持する像担持体ベルトと、前記像担持体ベルトを巻き掛けて、前記像担持体ベルトを移動させるベルト駆動ローラーと、前記ベルト駆動ローラーに巻き掛けられた前記像担持体ベルトを巻き掛けるとともに、前記像担持体ベルトに張力を付与する第１テンションローラーと、前記第１テンションローラーに巻き掛けられた前記像担持体ベルトを巻き掛けるローラーと、前記ローラーと前記像担持体ベルトを介して当接して転写ニップを形成し、前記像担持体ベルトに担持された前記像を転写材に転写する転写ローラーと、前記転写ローラーを回転駆動させる転写ローラー駆動部と、前記ローラーに巻き掛けられた前記像担持体ベルトを巻き掛けるとともに、前記像担持体ベルトに張力を付与する第２テンションローラーと、前記第１テンションローラーと前記第２テンションローラーとを連結して支持する弾性部材と、を有することを特徴とする。
【００１３】
また、前記転写ローラーに当接して前記転写ローラーをクリーニングする転写ローラークリーニング部材を有する。
【００１４】
さらに、本発明の画像形成装置は、潜像が形成される潜像担持体と、前記潜像担持体に形成された前記潜像をトナー粒子及びキャリアー液を含む液体現像剤で現像する現像部と、前記現像部で現像された像を担持する像担持体ベルトと、前記像担持体ベルトを巻き掛けて、前記像担持体ベルトを移動させるベルト駆動ローラーと、前記ベルト駆動ローラーに巻き掛けられた前記像担持体ベルトを巻き掛けるとともに、前記像担持体ベルトに張力を付与する第１テンションローラーと、前記第１テンションローラーに巻き掛けられた前記像担持体ベルトを巻き掛けるローラーと、前記ローラーと前記像担持体ベルトを介して当接して転写ニップを形成し、前記像担持体ベルトに担持された前記像を転写材に転写する転写ローラーと、前記ローラーに巻き掛けられた前記像担持体ベルトを巻き掛けるとともに、前記像担持体ベルトに張力を付与する第２テンションローラーと、前記第１テンションローラーと前記第２テンションローラーとを連結して支持する弾性部材と、前記転写ローラーを回転駆動させる転写ローラー駆動部と、を有することを特徴とする。
【００１５】
また、前記転写ローラーは、周面に形成された凹部と、前記凹部に配設されて前記転写材を把持する把持部材と、を有する。
【００１６】
また、前記第１テンションローラーと接続されたワイヤーと、前記ワイヤーと接続されて前記第１テンションローラーを移動させるソレノイドと、を有する。
【００１７】
また、前記第１テンションローラーを支持する支持部材と、前記支持部材と当接して前記第１テンションローラーの移動を規制する規制部材と、を有する。
【００１８】
また、前記第２テンションローラーと接続されたワイヤーと、前記ワイヤーと接続されて前記第２テンションローラーを移動させるソレノイドと、を有する。
【００１９】
また、前記像担持体ベルトのバネ定数は、前記弾性部材のバネ定数よりも大きい。
【００２０】
本発明によれば、第１テンションローラーと第２テンションローラーを弾性部材で連結することにより、一次転写部と二次転写部とで像担持体ベルトに速度差があり、第１テンションローラーと第２テンションローラーの位置が移動して、速度差を吸収した場合であっても、ベルトテンションを一定に保持することが可能であり、像担持体ベルトの伸縮が低減される。
【図面の簡単な説明】
【００２１】
【図１】本発明の実施形態に係る画像形成装置を構成する主要構成要素を示した図である。
【図２】第１実施形態の転写装置及び感光体を示す図である。
【図３】第１実施形態の転写装置に用いる中間転写ベルトを示す図である。
【図４】一次転写部での中間転写ベルトの搬送速度が二次転写部での中間転写ベルトの搬送速度より速い時の転写装置の状態を示す図である。
【図５】二次転写ローラーの回転角度と中間転写ベルトのテンションの関係を示す図である。
【図６】テンションローラー位置初期化機構の第１実施形態を示す図である。
【図７】テンションローラー位置初期化機構の第２実施形態を示す図である。
【図８】一次転写部での中間転写ベルトの搬送速度が二次転写部での中間転写ベルトの搬送速度より遅い時の転写装置の状態を示す図である。
【図９】凹部及び把持部材を有しない二次転写ローラーを用いた転写装置及び画像形成装置を示す図である。
【図１０】従来のテンションローラーを有する転写装置の二次転写ローラーの回転角度とベルトテンションの関係を示す図である。
【発明を実施するための形態】
【００２２】
以下、本発明の実施の形態を、図面を参照しつつ説明する。
【００２３】
図１は、本発明の実施形態に係る画像形成装置１を構成する主要構成要素を示した図である。画像形成装置１は、主に画像形成ステーション２Ｙ，２Ｍ，２Ｃ，２Ｋと転写装置３とを有する。
【００２４】
図１に示すように、この例の画像形成装置１は、水平またはほぼ水平にタンデムに配置されたイエロー（Ｙ）、マゼンタ（Ｍ）、シアン（Ｃ）およびブラック（Ｋ）の画像形成ステーション２Ｙ，２Ｍ，２Ｃ，２Ｋを備えている。各画像形成ステーション２Ｙ，２Ｍ，２Ｃ，２Ｋは、潜像担持体としての感光体１０Ｙ，１０Ｍ，１０Ｃ，１０Ｋを備えている。これらの感光体１０Ｙ，１０Ｍ，１０Ｃ，１０Ｋには、それぞれ、対応する色Ｙ，Ｍ，Ｃ，Ｋの静電潜像が形成されて担持される。各感光体１０Ｙ，１０Ｍ，１０Ｃ，１０Ｋは、それぞれ、図示しない駆動部により駆動されて図１において矢印方向（図１において時計回り）に回転する。ここで、各感光体１０Ｙ，１０Ｍ，１０Ｃ，１０Ｋにおいて、１０Ｙはイエローの感光体、１０Ｍはマゼンタの感光体、１０Ｃはシアンの感光体、１０Ｋはブラックの感光体を表す。また、他の部材についても同じように、部材の符号にそれぞれ各色のＹ，Ｍ，Ｃ，Ｋを添えて各色の部材を表す。
【００２５】
感光体１０Ｙ，１０Ｍ，１０Ｃ，１０Ｋの周辺は、感光体１０Ｙ，１０Ｍ，１０Ｃ，１０Ｋの外周の回転方向に沿って、帯電部としてのコロナ帯電器１１Ｙ，１１Ｍ，１１Ｃ，１１Ｋを基準として、ラインヘッドなどの露光部１２Ｙ，１２Ｍ，１２Ｃ，１２Ｋ、現像部３０Ｙ，３０Ｍ，３０Ｃ，３０Ｋの現像剤担持体としての現像ローラー２０Ｙ，２０Ｍ，２０Ｃ，２０Ｋ、第１感光体スクイーズローラー１３Ｙ，１３Ｍ，１３Ｃ，１３Ｋ、第２感光体スクイーズローラー１５Ｙ，１５Ｍ，１５Ｃ，１５Ｋ、一次転写部５０Ｙ，５０Ｍ，５０Ｃ，５０Ｋ、除電部としての除電ランプ１７Ｙ，１７Ｍ，１７Ｃ，１７Ｋ及び感光体クリーニングブレード１８Ｙ，１８Ｍ，１８Ｃ，１８Ｋが配置されている。なお、画像形成プロセスにおいては、コロナ帯電器１１Ｙ，１１Ｍ，１１Ｃ，１１Ｋから感光体クリーニングブレード１８Ｙ，１８Ｍ，１８Ｃ，１８Ｋの順に、より前段に配置される構成は、後段に配置される構成より上流にあるものと定義する。
【００２６】
まず、コロナ帯電器１１Ｙ，１１Ｍ，１１Ｃ，１１Ｋにより、感光体１０Ｙ，１０Ｍ，１０Ｃ，１０Ｋを一様に帯電させ、露光部１２Ｙ，１２Ｍ，１２Ｃ，１２Ｋにより、入力された画像信号に基づいて露光を行い、帯電された感光体１０Ｙ，１０Ｍ，１０Ｃ，１０Ｋ上に静電潜像を形成する。
【００２７】
現像部３０Ｙ，３０Ｍ，３０Ｃ，３０Ｋは、イエロー（Ｙ）、マゼンタ（Ｍ）、シアン（Ｃ）、ブラック（Ｋ）からなる各色の液体現像剤を貯蔵する現像剤容器（リザーバ）３１Ｙ，３１Ｍ，３１Ｃ，３１Ｋ、各色の液体現像剤を現像剤容器３１Ｙ，３１Ｍ，３１Ｃ，３１Ｋ内で攪拌する攪拌ローラー３２Ｙ，３２Ｍ，３２Ｃ，３２Ｋ、各色の液体現像剤を現像剤容器３１Ｙ，３１Ｍ，３１Ｃ，３１Ｋから現像ローラー２０Ｙ，２０Ｍ，２０Ｃ，２０へ供給する現像剤供給部材としての供給ローラー３３Ｙ，３３Ｍ，３３Ｃ，３３Ｋ及び中間ローラー３４Ｙ，３４Ｍ，３４Ｃ，３４Ｋ、中間ローラー３４Ｙ，３４Ｍ，３４Ｃ，３４Ｋの液体現像剤をクリーニングする中間ローラークリーニング部材３５Ｙ，３５Ｍ，３５Ｃ，３５Ｋを有し、各色のトナー粒子及びキャリアー液を含む液体現像剤により感光体１０Ｙ，１０Ｍ，１０Ｃ，１０Ｋ上に形成された静電潜像を現像する。
【００２８】
なお、現像ローラー２０Ｙ，２０Ｍ，２０Ｃ，２０Ｋは、周囲に、中間ローラー３４Ｙ，３４Ｍ，３４Ｃ，３４Ｋにより供給されて、現像ローラー２０Ｙ，２０Ｍ，２０Ｃ，２０に担持された液体現像剤をコンパクション状態にするコンパクションコロナ発生器２２Ｙ，２２Ｍ，２２Ｃ，２２Ｋと、感光体１０Ｙ，１０Ｍ，１０Ｃ，１０Ｋを現像した後、現像ローラー２０Ｙ，２０Ｍ，２０Ｃ，２０Ｋのクリーニングを行う現像ローラークリーニングブレード２１Ｙ，２１Ｍ，２１Ｃ，２１Ｋを有する。
【００２９】
各色の液体現像剤により感光体１０Ｙ，１０Ｍ，１０Ｃ，１０Ｋ上に形成された現像は、第１感光体スクイーズローラー１３Ｙ，１３Ｍ，１３Ｃ，１３Ｋ、及び第２感光体スクイーズローラー１５Ｙ，１５Ｍ，１５Ｃ，１５Ｋによってキャリアー液の一部をスクイーズされる。なお、第１感光体スクイーズローラー１３Ｙ，１３Ｍ，１３Ｃ，１３Ｋの周囲には、スクイーズしたキャリアー液をクリーニングする第１感光体スクイーズローラークリーニング部材１４Ｙ，１４Ｍ，１４Ｃ，１４Ｋ、が配設され、第２感光体スクイーズローラー１５Ｙ，１５Ｍ，１５Ｃ，１５Ｋの周囲には、スクイーズしたキャリアー液をクリーニングする第２感光体スクイーズローラークリーニング部材１６Ｙ，１６Ｍ，１６Ｃ，１６Ｋが配設される。
【００３０】
像担持体ベルトとしての中間転写ベルト４０は、シームレスなゴム等の弾性部材で形成されたベルトである。中間転写ベルト４０は、中間転写ベルト４０を巻き掛けて、中間転写ベルト４０を移動させるベルト駆動ローラー４１と、ベルト駆動ローラー４１に巻き掛けられた中間転写ベルト４０を巻き掛けるとともに、中間転写ベルト４０に張力を付与する第１テンションローラー８１と、第１テンションローラー８１に巻き掛けられた中間転写ベルト４０を巻き掛けるローラーとしてのバックアップローラー４３と、バックアップローラー４３に巻き掛けられた中間転写ベルト４０を巻き掛けるとともに、中間転写ベルト４０に張力を付与する第２テンションローラー８２と、第２テンションローラー８２に巻き掛けられた中間転写ベルト４０を巻き掛ける張架ローラー４２と、に張架される。
【００３１】
中間転写ベルト４０は、一次転写部５０Ｙ、５０Ｍ、５０Ｃ、５０Ｋで感光体１０Ｙ、１０Ｍ、１０Ｃ、１０Ｋと当接しながらベルト駆動ローラー４１により回転駆動される。一次転写部５０Ｙ、５０Ｍ、５０Ｃ、５０Ｋは、中間転写ベルト４０を挟んで感光体１０Ｙ、１０Ｍ、１０Ｃ、１０Ｋと一次転写ローラー５１Ｙ、５１Ｍ、５１Ｃ、５１Ｋが対向して配置され、感光体１０Ｙ、１０Ｍ、１０Ｃ、１０Ｋと当接する位置を転写位置として、現像された感光体１０Ｙ、１０Ｍ、１０Ｃ、１０Ｋ上の各色のトナー像を中間転写ベルト４０上に順次重ねて転写し、フルカラーのトナー像を担持する。
【００３２】
中間転写ベルト４０の張架ローラー４２に張架されている箇所で、像担持体ベルトクリーニング部材としての転写ベルトクリーニングブレード４９が当接され、中間転写ベルト４０の残りトナー及びキャリアー液をクリーニングするようになっている。
【００３３】
なお、中間転写ベルト４０に一次転写した後に感光体１０Ｙ、１０Ｍ、１０Ｃ、１０Ｋに残った液体現像剤は、潜像担持体クリーニング部材としての除電部１７Ｙ、１７Ｍ、１７Ｃ、１７Ｋで除電されて、潜像担持体クリーニング部材としての感光体クリーニングブレード１８Ｙ、１８Ｍ、１８Ｃ、１８Ｋでクリーニングされる。
【００３４】
二次転写部６０では、図示しない転写ローラー駆動部により矢印で示す方向に回転するとともに転写バイアスが印加される転写ローラーとしての二次転写ローラー６１により、中間転写ベルト４０を介してバックアップローラー４３と当接して転写ニップを形成し、中間転写ベルト４０のトナー像を転写材搬送経路Ｌにて搬送される用紙、フィルム、布等の転写材に転写する。二次転写ローラー６１は、周面に形成された凹部６３と、凹部６３内に回動可能に配設されて二次転写時に転写材の先端を把持する把持部材６４とを有する。把持部材６４を有することにより、転写材が中間転写ベルト４０に貼り付くことを低減することが可能となる。
【００３５】
さらに、二次転写部６０は、二次転写ローラー６１をクリーニングする転写ローラークリーニングブレード６９等を有する。転写ローラークリーニングブレード６９を有することにより、転写材の裏面の汚れを低減することが可能となる。
【００３６】
転写材搬送経路Ｌの二次転写部６０の下流には、図示しない転写材搬送部が配列されて、転写材を図示しない定着ユニットに搬送するようになっている。定着ユニットでは、図示しない加熱ローラーと、この加熱ローラー側に所定の圧力で付勢された図示しない加圧ローラーとのニップ間に転写材を挿通させることにより、用紙等の転写材上に転写された単色のトナー像やフルカラーのトナー像を用紙等の転写材に融着させ定着させる。
【００３７】
画像形成装置に対する転写材の供給は、図示しない給紙装置によって行われる。このような給紙装置にセットされた転写材は、所定のタイミングにて一枚ごとに転写材搬送経路Ｌに送り出されるようになっている。転写材搬送経路Ｌでは、転写材送出部材としてのゲートローラー７１、７１’によって転写材を二次転写位置まで搬送し、中間転写ベルト４０上に形成された単色のトナー像やフルカラーのトナー像を転写材に転写する。
【００３８】
現像剤容器３１Ｙに収容されている液体現像剤は、従来一般的に使用されているＩｓｏｐａｒ（商標：エクソン）をキャリアー液とした低濃度（１〜３ｗｔ％程度）かつ低粘度の、常温で揮発性を有する揮発性液体現像剤ではなく、高濃度かつ高粘度の、常温で不揮発性を有する不揮発性液体現像剤である。すなわち、本発明における液体現像剤は、熱可塑性樹脂中へ顔料等の着色剤を分散させた平均粒径１μｍの固形子を、有機溶媒、シリコンオイル、鉱物油又は食用油等の液体溶媒中へ分散剤とともに添加し、トナー固形分濃度を約１５〜２５％とした高粘度（ＨＡＡＫＥ  ＲｈｅｏＳｔｒｅｓｓ  ＲＳ６００を用いて、２５℃の時のせん断速度が１０００（１／ｓ）のときの粘弾性が３０〜３００ｍＰａ・ｓ程度）の液体現像剤である。
【００３９】
なお、各色Ｙ、Ｍ、Ｃ、Ｋに対応する画像形成ステーション２Ｙ，２Ｍ，２Ｃ，２Ｋの配置順は、図１に示す例に限定されることはなく、任意に設定することができる。
【００４０】
次に、第１実施形態の転写装置３の構成を詳細に説明する。図２は第１実施形態の転写装置３及び感光体１０Ｙ、１０Ｍ、１０Ｃ、１０Ｋを示す図、図３は第１実施形態の転写装置３に用いる中間転写ベルト４０を示す図である。
【００４１】
図２に示すように、転写装置３は、一次転写部５０と二次転写部６０とを有する。中間転写ベルト４０は、一次転写部５０で感光体１０Ｙ、１０Ｍ、１０Ｃ、１０Ｋから画像を転写され、二次転写部６０で転写材に画像を転写する。
【００４２】
図３に示すように、中間転写ベルト４０は、少なくとも弾性層４０ａを有する。弾性層４０ａは、弾性を有する軟質ゴムからなり、厚さは１２０μｍである。弾性層４０ａのベルト駆動ローラー４１、張架ローラー４２、及びバックアップローラー４３側となる内側には、基材層４０ｂが設けられる。基材層４０ｂは、ポリイミドからなり、厚さは６０μｍである。また、弾性層４０ａの二次転写ローラー６１側となる外側には、液体現像剤のトナーで形成されたトナー像が担持される表面層４０ｃが設けられる。表面層４０ｃは、弾性層４０ａよりも硬い硬質ゴムからなり、厚さは５μｍである。
【００４３】
また、中間転写ベルト４０の周長は１５００ｍｍ、バネ定数は６４Ｎ／ｍｍである。ただし、バネ定数は、中間転写ベルト４０を切断して展開し、全体をバネと仮定した時の搬送方向におけるバネ定数である。
【００４４】
図２に示すように、中間転写ベルト４０は、ベルト駆動ローラー４１、張架ローラー４２、バックアップローラー４３、第１テンションローラー８１、及び第２テンションローラー８２に張架される。
【００４５】
第１テンションローラー８１は、中間転写ベルト４０の所定位置が、一回転する間で、ベルト駆動ローラー４１を通り過ぎ、バックアップローラー４３に進入する前に配設される。すなわち、第１テンションローラー８１は、転写ニップより中間転写ベルト４０の移動方向手前側に配設される。
【００４６】
また、第２テンションローラー８２は、中間転写ベルト４０の所定位置が、一回転する間で、バックアップローラー４３を通り過ぎ、張架ローラー４２に進入する前に配設される。すなわち、第２テンションローラー８２は、転写ニップより中間転写ベルト４０の移動方向側に配設される。
【００４７】
第１テンションローラー８１は、第１テンションローラー回転軸８１ａを中心に回転可能に設けられる。第１テンションローラー回転軸８１ａは、第１テンションローラー支持部材としての第１テンションローラー支持レバー８３に支持されている。第１テンションローラー支持レバー８３は、第１レバー支持軸８３ａによって、画像形成装置１の図示しないフレームやケース等に回転可能に支持されている。また、第１テンションローラー支持レバー８３は、第１レバー支持軸８３ａに対して第１テンションローラー回転軸８１ａとは反対側に第１ワイヤー取付部８３ｂを有する。第１ワイヤー取付部８３ｂには、第１ワイヤー８４の一方が取り付けられている。
【００４８】
同様に、第２テンションローラー８２は、第２テンションローラー回転軸８２ａを中心に回転可能に設けられる。第２テンションローラー回転軸８２ａは、第２テンションローラー支持部材としての第２テンションローラー支持レバー８５に支持されている。第２テンションローラー支持レバー８５は、第２レバー支持軸８５ａによって、画像形成装置１の図示しないフレームやケース等に回転可能に支持されている。また、第２テンションローラー支持レバー８５は、第２レバー支持軸８５ａに対して第２テンションローラー回転軸８２ａとは反対側に第２ワイヤー取付部８５ｂを有する。第２ワイヤー取付部８５ｂには、第２ワイヤー８６の一方が取り付けられている。
【００４９】
第１ワイヤー８４の他方は弾性部材としてのスプリング８７の一方に設けられた第３ワイヤー取付部８７ａに取り付けられている。また、第２ワイヤー８６の他方はスプリング８７の他方に設けられた第４ワイヤー取付部８７ｂに取り付けられている。第１ワイヤー８４は、第１ワイヤー取付部８３ｂと第３ワイヤー取付部８７ａの間で第１プーリー８８に巻き掛けられている。同様に、第２ワイヤー８６は、第２ワイヤー取付部８５ｂと第４ワイヤー取付部８７ｂの間で第２プーリー８９に巻き掛けられている。また、第１ワイヤー８４の第３ワイヤー取付部８７ａに近い側、第２ワイヤー８６の第４ワイヤー取付部８７ｂに近い側、及びスプリング８７の引っ張り圧縮方向は、一直線上又は略一直線上とするとよい。
【００５０】
なお、スプリング８７のバネ定数は１０Ｎ／ｍｍであり、中間転写ベルト４０のバネ定数よりも小さい。ただし、スプリング８７のバネ定数は、第１テンションローラー８１及び第２テンションローラー８２への中間転写ベルト４０の当接方向の荷重と移動量の関係から設定される。中間転写ベルト４０のバネ定数をスプリング８７のバネ定数よりも大きくすることにより、安定して中間転写ベルト４０を搬送することが可能となる。
【００５１】
図４は、一次転写部５０での中間転写ベルト４０の搬送速度が二次転写部６０での中間転写ベルト４０の搬送速度より速い時の転写装置１の状態を示す図、図５は、二次転写ローラー６１の回転角度と中間転写ベルト４０のテンションの関係を示す図である。なお、図５中、Ａは二次転写ローラー６１の凹部６３と中間転写ベルト４０が対向している状態、Ｂは二次転写ローラー６１と中間転写ベルト４０が転写材を介して当接している二次転写中の状態、Ｃは二次転写ローラー６１と中間転写ベルト４０が直接当接している状態を示している。
【００５２】
例えば、二次転写部６０に転写材が存在する状態において、二次転写ローラー６１の回転速度と中間転写ベルト４０の回転速度を同一に設定した場合、転写材が二次転写部６０に存在しないと、二次転写ローラー６１の外周は、二次転写ローラー６１に巻き付いた状態の転写材の中間転写ベルト４０側の位置よりも転写材の厚みの分だけ回転中心に近い位置を進むことになる。したがって、二次転写ローラー６１の外周は、転写材が存在する場合の転写材の中間転写ベルト４０側より遅い速度となり、二次転写部６０における中間転写ベルト４０の速度は、転写材が存在する場合の中間転写ベルト４０の速度より遅い速度となる。もともと、二次転写部６０に転写材が存在する状態において、二次転写ローラー６１の回転速度と中間転写ベルト４０の回転速度とは、同一に設定してあったので、一次転写部５０における中間転写ベルト４０の速度は、二次転写部６０における中間転写ベルト４０の速度よりも速くなってしまう。
【００５３】
なお、二次転写ローラー６１の回転速度は、転写材の有無だけではなく、把持部材６４や転写ローラークリーニングブレード６９の影響によっても変化することがあり、中間転写ベルト４０の速度にも影響することがある。
【００５４】
一次転写部５０での中間転写ベルト４０の搬送速度が二次転写部６０での中間転写ベルト４０の搬送速度より速い時、すなわち二次転写部６０の転写ニップ後よりも転写ニップ前の方が速い時には、二次転写部６０へ進入する中間転写ベルト４０の単位時間あたりの長さは、二次転写部６０から出てくる中間転写ベルト４０の単位時間あたりの長さよりも長い。
【００５５】
したがって、図４に示すように、二次転写ローラー６１と中間転写ベルト４０が当接している二次転写中、ベルト駆動ローラー４１を通り過ぎてバックアップローラー４３に進入する前の位置において、中間転写ベルト４０は、第１テンションローラー８１から離れる方向に緩んでたわんでしまう。同時に、図４に示すように、バックアップローラー４３を通り過ぎ、張架ローラー４２に進入する前の位置において、中間転写ベルト４０は、緊張して第２テンションローラー８２のある方向に引っ張られる。なお、図４中、二点鎖線は、二次転写ローラー６１の凹部６３が中間転写ベルト４０に対向する位置にあり、二次転写ローラー６１と中間転写ベルト４０が離間している移動前の中間転写ベルト４０の位置を示し、実線は、移動後の中間転写ベルト４０の位置を示す。
【００５６】
第１テンションローラー８１と第２テンションローラー８２は、スプリング８７のバネ力によって釣り合っているので、中間転写ベルト４０に追随して移動する。
【００５７】
第１テンションローラー８１は、中間転写ベルト４０の軌道の外側に向かって矢印のように移動する。同時に、第２テンションローラー８２は、中間転写ベルト４０の軌道の内側に向かって矢印のように移動する。
【００５８】
第１テンションローラー８１が移動すると、第１テンションローラー支持レバー８３は、第１レバー支持軸８３ａを中心に、図４の紙面に向かって見て、反時計方向に回転する。同時に、第２テンションローラー８２が移動すると、第２テンションローラー支持レバー８５は、第２レバー支持軸８５ａを中心に、図４の紙面に向かって見て、反時計方向に回転する。
【００５９】
第１テンションローラー支持レバー８３及び第２テンションローラー支持レバー８５が、図４の紙面に向かって見て、反時計方向に回転すると、第２ワイヤー８６、スプリング８７及び第１ワイヤー８４が第２テンションローラー支持レバー８５に引っ張られるように作動する。そして、スプリング８７は、第２プーリー８９の方向、すなわち図４の紙面に向かって見て、左方向に移動する。なお、スプリング８７は、長さに変化はなく、引っ張り力も変化しない。
【００６０】
したがって、図４に示すように、一次転写部５０での中間転写ベルト４０の搬送速度が二次転写部６０での中間転写ベルト４０の搬送速度より速く、第１テンションローラー８１及び第２テンションローラー８２の移動により速度差を吸収した場合、スプリング８７が第２プーリー８９の方向に移動することによって、中間転写ベルト４０のテンションは、図５に示すように、二次転写ローラー６１の回転中、ほぼ一定に保持される。
【００６１】
図４に示した状態では、中間転写ベルト４０のテンションは、二次転写ローラーの回転中、図５に示すようにほぼ一定に保持される。しかしながら、一次転写部５０での中間転写ベルト４０の搬送速度が二次転写部６０での中間転写ベルト４０の搬送速度より速い間、第１テンションローラー８１は、中間転写ベルト４０の軌道の外側に向かって移動し続け、第２テンションローラー８２は、中間転写ベルト４０の軌道の内側に向かって移動し続ける。また、スプリング８７の位置は、第２プーリー８９の方向に移動していってしまう。そこで、本実施形態では、テンションローラー位置初期化機構９０を用いて、テンションローラーの位置を移動前の位置に初期化する。
【００６２】
図６は、テンションローラー位置初期化機構９０の第１実施形態を示す図である。テンションローラー位置初期化機構９０の第１実施形態では、テンションローラー位置初期化機構９０として、第１テンションローラー８１と接続されたワイヤーとしての規制用ワイヤー９２と、規制用ワイヤー９２と接続されて、第１テンションローラー８１を移動させるソレノイド９１と、を有する。
【００６３】
図６の二点鎖線は、二次転写ローラー６１と中間転写ベルト４０が当接している二次転写中、一次転写部５０での中間転写ベルト４０の搬送速度が二次転写部６０での中間転写ベルト４０の搬送速度より速く、第１テンションローラー８１が、中間転写ベルト４０の軌道の外側に向かって移動し、第２テンションローラー８２が、中間転写ベルト４０の軌道の内側に向かって移動した状態を示している。
【００６４】
この二点鎖線の状態では、ソレノイド９１には通電しないので、規制用ワイヤー９２は、たるんだ状態となっている。
【００６５】
また、実線は、二次転写ローラー６１の凹部６３が中間転写ベルト４０に対向する位置にあり、二次転写ローラー６１と中間転写ベルト４０が離間している状態の中間転写ベルト４０の位置を示す。
【００６６】
実線の状態は、二点鎖線の状態からソレノイド９１に通電することで、ソレノイド９１が作動し、規制用ワイヤー９２を引っ張った状態である。ソレノイド９１に引っ張られた規制用ワイヤー９２は、第１テンションローラー８１、第１テンションローラー支持レバー８３及び第１ワイヤー８４を引っ張る。同時に、中間転写ベルト４０が第１テンションローラー８１に内側から押されて緊張することで、第２テンションローラー８２が中間転写ベルト４０の内側に押されて、第２テンションローラー支持レバー８５が図６の紙面に向かって見て、時計方向に回転する。そして、第１ワイヤー８４がスプリング８７と第２ワイヤー８６を引っ張ることで、スプリング８７の位置が移動する。
【００６７】
このように、ソレノイド９１が作動し、規制用ワイヤー９２が第１テンションローラー８１又は第１テンションローラー支持レバー８３を引っ張ることで、第１テンションローラー８１が移動する位置を、図４の二点鎖線で示した初期位置に設定しておくことで、第１テンションローラー８１及び第２テンションローラー８２を瞬時に初期位置に移動させることが可能となる。また、この時、第１テンションローラー支持レバー８３、第２テンションローラー支持レバー８５、及びスプリング８７も初期位置に移動する。
【００６８】
したがって、第１テンションローラー８１が中間転写ベルト４０の軌道の外側に向かって移動し続け、第２テンションローラー８２が中間転写ベルト４０の軌道の内側に向かって移動し続けることがなく初期化される。また、スプリング８７の位置が第２プーリー８９の方向に移動し続けることがなく初期化され、転写材に対する画像の見当精度が向上する。
【００６９】
なお、本実施形態では、規制用ワイヤー９２が第１テンションローラー８１又は第１テンションローラー支持レバー８３を引っ張る構成としたが、規制用ワイヤー９２が第２テンションローラー８２又は第２テンションローラー支持レバー８５を引っ張る構成としてもよい。
【００７０】
図７は、テンションローラー位置初期化機構９０の第２実施形態を示す図である。テンションローラー位置初期化機構９０の第２実施形態では、テンションローラー位置初期化機構９０として、規制部材としてのレバー位置規制部材９３を用いる。
【００７１】
図７の二点鎖線は、二次転写ローラー６１と中間転写ベルト４０が当接している二次転写中、一次転写部５０での中間転写ベルト４０の搬送速度が二次転写部６０での中間転写ベルト４０の搬送速度より速く、第１テンションローラー８１が、中間転写ベルト４０の軌道の外側に向かって移動し、第２テンションローラー８２が、中間転写ベルト４０の軌道の内側に向かって移動した状態を示している。
【００７２】
この二点鎖線の状態では、レバー位置規制部材９３は第２テンションローラー支持レバー８５を位置規制していないので、第２テンションローラー支持レバー８５が回転可能となっている。
【００７３】
また、実線は、二次転写ローラー６１の凹部６３が中間転写ベルト４０に対向する位置にあり、二次転写ローラー６１と中間転写ベルト４０が離間している状態の中間転写ベルト４０の位置を示す。
【００７４】
実線の状態は、二点鎖線の状態からレバー位置規制部材９３が移動することで、第２テンションローラー支持レバー８５をレバー位置規制部材９３の規制凹部９５内に回転不可能に位置規制した状態である。レバー位置規制部材９３は、図示しない駆動部材、バネ又はソレノイド等によって移動される。また、ガイド等の案内部材を設けて、案内部材に沿って移動するように構成するとよい。
【００７５】
規制凹部９５は、導入部９５ａと、収納部９５ｂとを有する。導入部９５ａは、第２テンションローラー支持レバー８５を収納部９５ｂに導きやすくするため、所定の角度のテーパー面を有する開口に形成されている。収納部９５ｂは、第２テンションローラー支持レバー８５を初期位置で回転不可能な状態とするため、初期位置で第２テンションローラー支持レバー８５に当接するように、第２テンションローラー支持レバー８５の寸法と同じ又は略同じ開口幅を有する。
【００７６】
レバー位置規制部材９３が移動すると、第２テンションローラー支持レバー８５は、規制凹部９５の導入部９５ａから導かれて収納部９５ｂに収納されることで、二点鎖線の状態から実線の状態に回転する。第２テンションローラー支持レバー８５が回転すると、第２テンションローラー８２は、中間転写ベルト４０を外側に押すように移動する。同時に、中間転写ベルト４０が第１テンションローラー８１を外側から押すことで、第１テンションローラー支持レバー８３が図７の紙面に向かって見て、時計方向に回転する。そして、第１ワイヤー８４がスプリング８７と第２ワイヤー８６を引っ張ることで、スプリング８７の位置が移動する。
【００７７】
このように、レバー位置規制部材９３が作動し、第２テンションローラー支持レバー８５の位置を規制することで、第２テンションローラー８２が移動する位置を、図４の二点鎖線で示した初期位置に設定しておくことで、第１テンションローラー８１及び第２テンションローラー８２を瞬時に初期位置に移動させることが可能となる。また、この時、第１テンションローラー支持レバー８３、第２テンションローラー支持レバー８５、及びスプリング８７も初期位置に移動する。
【００７８】
したがって、第１テンションローラー８１が中間転写ベルト４０の軌道の外側に向かって移動し続け、第２テンションローラー８２が中間転写ベルト４０の軌道の内側に向かって移動し続けることがなく初期化される。また、スプリング８７の位置が第２プーリー８９の方向に移動し続けることがなく初期化され、転写材に対する画像の見当精度が向上する。
【００７９】
なお、本実施形態では、レバー位置規制部材９３が第２テンションローラー支持レバー８５の位置を規制し初期位置に戻す構成としたが、レバー位置規制部材９３が第１テンションローラー支持レバー８３の位置を規制し初期位置に戻す構成としてもよい。
【００８０】
図８は、一次転写部５０での中間転写ベルト４０の搬送速度が二次転写部６０での中間転写ベルト４０の搬送速度より遅い時の転写装置１の状態を示す図である。
【００８１】
例えば、二次転写部６０に転写材が存在しない状態において、二次転写ローラー６１の回転速度と中間転写ベルト４０の回転速度を同一に設定した場合、転写材が二次転写部６０に進入すると、転写材の中間転写ベルト４０側は転写材の厚みの分だけ二次転写ローラー６１の外径よりも回転中心から離れた位置を進むことになる。したがって、転写材の中間転写ベルト４０側は、二次転写ローラー６１の外周より速い速度となり、二次転写部６０における中間転写ベルト４０の速度は、転写材に追随して二次転写ローラー６１の外周より速い速度となる。もともと二次転写ローラー６１の回転速度と中間転写ベルト４０の回転速度とは、同一に設定してあったので、一次転写部５０における中間転写ベルト４０の速度が二次転写部６０における中間転写ベルト４０の速度よりも遅くなってしまう。
【００８２】
なお、二次転写ローラー６１の回転速度は、転写材の有無だけではなく、把持部材６４や転写ローラークリーニングブレード６９の影響によっても変化することがあり、中間転写ベルト４０の速度にも影響することがある。
【００８３】
一次転写部５０での中間転写ベルト４０の搬送速度が二次転写部６０での中間転写ベルト４０の搬送速度より遅い時、すなわち二次転写部６０の転写ニップ前よりも転写ニップ後の方が速い時には、二次転写部６０へ進入する中間転写ベルト４０の単位時間あたりの長さは、二次転写部６０から出てくる中間転写ベルト４０の単位時間あたりの長さよりも短い。
【００８４】
したがって、図８に示すように、二次転写ローラー６１と中間転写ベルト４０が当接している二次転写中、ベルト駆動ローラー４１を通り過ぎてバックアップローラー４３に進入する前の位置において、中間転写ベルト４０は、緊張して第１テンションローラー８１のある内側に引っ張られる。同時に、図８に示すように、バックアップローラー４３を通り過ぎ、張架ローラー４２に進入する前の位置において、中間転写ベルト４０は、第２テンションローラー８２から離れる外側に緩んでたわんでしまう。なお、図８中、二点鎖線は、二次転写ローラー６１の凹部６３が中間転写ベルト４０に対向する位置にあり、二次転写ローラー６１と中間転写ベルト４０が離間している移動前の中間転写ベルト４０の位置を示し、実線は、移動後の中間転写ベルト４０の位置を示す。
【００８５】
第１テンションローラー８１と第２テンションローラー８２は、スプリング８７のバネ力によって釣り合っているので、中間転写ベルト４０に追随して移動する。
【００８６】
第１テンションローラー８１は、中間転写ベルト４０の軌道の内側に向かって矢印のように移動する。同時に、第２テンションローラー８２は、中間転写ベルト４０の軌道の外側に向かって矢印のように移動する。
【００８７】
第１テンションローラー８１が移動すると、第１テンションローラー支持レバー８３は、第１レバー支持軸８３ａを中心に、図８の紙面に向かって見て、時計方向に回転する。同時に、第２テンションローラー８２が移動すると、第２テンションローラー支持レバー８５は、第２レバー支持軸８５ａを中心に、図８の紙面に向かって見て、時計方向に回転する。
【００８８】
第１テンションローラー支持レバー８３及び第２テンションローラー支持レバー８５が、図８の紙面に向かって見て、時計方向に回転すると、第１ワイヤー８４、スプリング８７及び第２ワイヤー８６が第１テンションローラー支持レバー８３に引っ張られるように作動する。そして、スプリング８７は、第１プーリー８８の方向、すなわち図８の紙面に向かって見て、右方向に移動する。なお、スプリング８７は、長さに変化はなく、引っ張り力も変化しない。
【００８９】
したがって、図８に示すように、一次転写部５０での中間転写ベルト４０の搬送速度が二次転写部６０での中間転写ベルト４０の搬送速度より遅く、第１テンションローラー８１及び第２テンションローラー８２の移動により速度差を吸収した場合、スプリング８７が第１プーリー８８の方向に移動することによって、中間転写ベルト４０のテンションは、二次転写ローラー６１の回転中、ほぼ一定に保持される。
【００９０】
なお、図８のように一次転写部５０での中間転写ベルト４０の搬送速度が二次転写部６０での中間転写ベルト４０の搬送速度より遅い時の転写装置１に対しても、図６及び図７に示したテンションローラー位置初期化機構９０を用いることが可能である。
【００９１】
図９は、凹部及び把持部材を有しない二次転写ローラー６１を用いた転写装置３及び画像形成装置１を示す図である。このような凹部及び把持部材を有しない二次転写ローラー６１を用いた場合であっても、図２、図６及び図７に示した転写装置３の構成を用いることが可能である。この場合、転写装置３は、二次転写ローラー６１と中間転写ベルト４０とを離間させる機構を有してもよい。
【００９２】
以上、種々の実施形態について説明したが、本実施例はこれらの実施形態のみに限られるものではなく、それぞれの実施形態の構成を適宜組み合わせて構成した実施形態も本発明の範疇となるものである。
【符号の説明】
【００９３】
１…画像形成装置、２Ｙ，２Ｍ，２Ｃ，２Ｋ…画像形成ステーション、３…転写装置、１０Ｙ，１０Ｍ，１０Ｃ，１０Ｋ…感光体（潜像担持体）、１１Ｙ，１１Ｍ，１１Ｃ，１１Ｋ…コロナ帯電器（帯電部）、１２Ｙ，１２Ｍ，１２Ｃ，１２Ｋ…露光ユニット（露光部）、１３Ｙ，１３Ｍ，１３Ｃ，１３Ｋ…第１感光体スクイーズローラー、１５Ｙ，１５Ｍ，１５Ｃ，１５Ｋ…第２感光体スクイーズローラー、１８Ｙ，１８Ｍ，１８Ｃ，１８Ｋ…感光体クリーニングブレード、２０Ｙ，２０Ｍ，２０Ｃ，２０Ｋ…現像ローラー（現像剤担持体）、３０Ｙ，３０Ｍ，３０Ｃ，３０Ｋ…現像装置（現像部）、３１Ｙ，３１Ｍ，３１Ｃ，３１Ｋ…現像剤容器、３２Ｙ，３２Ｍ，３２Ｃ，３２Ｋ…攪拌ローラー、３３Ｙ，３３Ｍ，３３Ｃ，３３Ｋ…供給ローラー、３４Ｙ，３４Ｍ，３４Ｃ，３４Ｋ…中間ローラー、４０…中間転写ベルト（像担持体ベルト）、４１…ベルト駆動ローラー、４２…張架ローラー、４３…バックアップローラー（ローラー）、４９…中間転写ベルトクリーニングブレード、５０…一次転写部、５１…一次転写ローラー、６０…二次転写部、６１…二次転写ローラー（転写ローラー）、６３…凹部、６４…把持部材、６９…転写ローラークリーニングブレード（転写ローラークリーニング部材）、７１，７１’…ゲートローラー（送出部）、８１…第１テンションローラー、８２…第２テンションローラー、８３…第１テンションローラー支持レバー（支持部材）、８４…第１ワイヤー、８５…第２テンションローラー支持レバー（支持部材）、８６…第２ワイヤー、８７…スプリング（弾性部材）、８８…第１プーリー、８９…第２プーリー、９０…テンションローラー位置初期化機構、９１…ソレノイド、９２…規制用ワイヤー（ワイヤー）、９３…レバー位置規制部材（規制部材）
【図１】
2012123114.tif 000003
【図２】
2012123114.tif 000004
【図３】
2012123114.tif 000005
【図４】
2012123114.tif 000006
【図５】
2012123114.tif 000007
【図６】
2012123114.tif 000008
【図７】
2012123114.tif 000009
【図８】
2012123114.tif 000010
【図９】
2012123114.tif 000011
【図１０】
2012123114.tif 000012